(57)【要約】【課題】  利用者の所望に応じてカラオケ演奏のテンポを遅くした場合であっても、利用者が当該カラオケ演奏のテンポを的確に把握することを可能とする。【解決手段】  楽曲の演奏に伴い入力される利用者の歌唱音声信号又は楽器演奏音声信号と、所定の採点リファレンスデータとに基づいて、利用者ＩＤ毎にテンポ毎の採点値を算出して記録する入力音声採点手段２７と、利用者ＩＤ毎に算出されたテンポ毎の採点値をテンポ順に並べ、隣り合う採点値の差が最も大きい二つのテンポのうち、遅い方のテンポを当該利用者ＩＤに対する補助テンポ出力基準値として設定する補助テンポ出力基準値設定手段２８と、任意の利用者の指示により変更された演奏テンポが、当該利用者の利用者ＩＤに対して設定された補助テンポ出力基準値よりも遅くなった場合に、補助テンポを出力する補助テンポ出力手段３３とを備える。【選択図】図１
2014010372.tif 000002
【特許請求の範囲】
【請求項１】
カラオケ楽曲の演奏テンポを変更可能であり、演奏テンポを遅くした場合に、利用者が当該カラオケ楽曲の演奏テンポを把握できるように補助テンポを出力するシステムであって、利用者ＩＤ取得手段と、演奏テンポ変更手段と、楽曲データベースと、入力音声採点手段と、補助テンポ出力基準値設定手段と、補助テンポ出力手段と、を備え、
前記利用者ＩＤ取得手段は、システムログインした利用者の利用者ＩＤを取得し、
前記演奏テンポ変更手段は、任意のカラオケ楽曲を演奏する際に、各利用者の指示に基づいて、その演奏テンポを変更し、
前記楽曲データベースは、カラオケ楽曲毎に少なくとも演奏制御データを含む楽曲データを格納し、前記演奏制御データには、当該カラオケ楽曲の基準テンポを補完して、利用者に対して当該基準テンポを把握させるための補助テンポを含ませ、
前記入力音声採点手段は、任意の楽曲が演奏されると、当該演奏に伴い入力される利用者の歌唱音声信号又は楽器演奏音声信号と、所定の採点リファレンスデータとに基づいて、利用者ＩＤ毎にテンポ毎の採点値を算出して記録し、
前記補助テンポ出力基準値設定手段は、利用者ＩＤ毎に算出されたテンポ毎の採点値をテンポ順に並べ、隣り合う採点値の差が最も大きい二つのテンポのうち、遅い方のテンポを当該利用者ＩＤに対する補助テンポ出力基準値として設定し、
前記補助テンポ出力手段は、任意の利用者の指示により変更された前記演奏テンポが、当該利用者の利用者ＩＤに対して設定された前記補助テンポ出力基準値よりも遅くなった場合に、前記補助テンポを出力する、
ことを特徴とするカラオケ演奏のテンポ変更時における補助テンポ出力システム。
【請求項２】
基準値設定モード移行手段をさらに備え、
前記基準値設定モード移行手段は、利用者の指示に応じて基準値設定モードが選択された場合に、前記補助テンポ出力基準値設定手段において、当該利用者の補助テンポ出力基準値を設定することを特徴とする請求項１に記載のカラオケ演奏のテンポ変更時における補助テンポ出力システム。
【発明の詳細な説明】
【技術分野】
【０００１】
本発明は、カラオケ演奏のテンポ変更時における補助テンポ出力システムに関するものであり、詳しくは、利用者の所望に応じてカラオケ演奏のテンポを遅くした場合であっても、利用者が当該カラオケ楽曲の演奏テンポを把握できるようにしたシステムに関するものである。
【背景技術】
【０００２】
現在普及しているカラオケシステムは、利用者の所望に応じて演奏テンポや、演奏キーを変更できるようになっている（例えば、特許文献１参照）。すなわち、特許文献１に記載されているように、現在普及しているカラオケシステムはテンポ制御手段を備えており、利用者のテンポ変更指示に基づいて、カラオケ演奏のテンポを速くしたり、遅くしたりすることができる。
【０００３】
現在流行している楽曲は、昔の楽曲と比較してテンポが極端に速くなっているものがある。そこで、例えば、未だ十分に歌詞を覚えていないカラオケ楽曲について歌唱練習を行う際に、演奏テンポを遅くすることにより、歌詞を間違えることなく歌唱を行うことができる。また、カラオケ演奏に合わせて楽器の演奏練習を行う場合にも、同様に演奏テンポを遅くすることにより、利用者の技量に見合ったテンポで楽器を演奏することができる。
【先行技術文献】
【特許文献】
【０００４】
【特許文献１】特開２００２−２２１９７１号公報
【発明の概要】
【発明が解決しようとする課題】
【０００５】
しかしながら、カラオケ楽曲が演奏されている際に、演奏テンポを極端に遅くすると、当該カラオケ楽曲の演奏テンポが解らなくなってしまい、歌唱練習や楽器演奏練習を行うことができなくなるおそれがある。すなわち、演奏テンポを遅くした場合、例えば、ガイドメロディにおいて１つの音が発せられてから次の音が発せられるまでの時間間隔が長くなりすぎてしまい、利用者がカラオケ楽曲の演奏テンポを把握できなくなることがある。従来のテンポ変更機能では、ただ単にガイドメロディ等の演奏テンポを遅くしたり速くしたりできるだけで、演奏テンポを遅くした場合に利用者がカラオケ楽曲の演奏テンポを把握できるようにすることまで考慮されていなかった。
【０００６】
また、カラオケ楽曲の演奏テンポを把握できなくなる限界値は、利用者の年齢やリズム感等により、利用者毎に異なるため、一律に限界値を設定することは合理的でない。
【０００７】
本発明は、上述した事情に鑑み提案されたもので、利用者の所望に応じてカラオケ演奏のテンポを遅くした場合であっても、利用者毎に当該カラオケ演奏のテンポを的確に把握することが可能なカラオケ演奏のテンポ変更時における補助テンポ出力システムを提供することを目的とする。
【課題を解決するための手段】
【０００８】
本発明のカラオケ演奏のテンポ変更時における補助テンポ出力システムは、上述した目的を達成するため、以下の特徴点を有している。すなわち、本発明のカラオケ演奏のテンポ変更時における補助テンポ出力システムは、カラオケ楽曲の演奏テンポを変更可能であり、演奏テンポを遅くした場合に、利用者が当該カラオケ楽曲の演奏テンポを把握できるようにしたシステムであって、利用者ＩＤ取得手段と、演奏テンポ変更手段と、楽曲データベースと、入力音声採点手段と、補助テンポ出力基準値設定手段と、補助テンポ出力手段とを備えたことを特徴とするものである。
【０００９】
利用者ＩＤ取得手段は、システムログインした利用者の利用者ＩＤを取得するための手段である。演奏テンポ変更手段は、任意のカラオケ楽曲を演奏する際に、各利用者の指示に基づいて、その演奏テンポを変更するための手段である。楽曲データベースは、カラオケ楽曲毎に少なくとも演奏制御データを含む楽曲データを格納したデータベースであり、演奏制御データには、当該カラオケ楽曲の基準テンポを補完して、利用者に対して当該基準テンポを把握させるための補助テンポが含まれている。
【００１０】
入力音声採点手段は、任意の楽曲が演奏されると、当該演奏に伴い入力される利用者の歌唱音声信号又は楽器演奏音声信号と、所定の採点リファレンスデータとに基づいて、利用者ＩＤ毎にテンポ毎の採点値を算出して記録するための手段である。入力音声採点手段における採点結果は、利用者別採点値データベースとしてＨＤＤ等に格納してもよいし、テンポラリデータとしてＲＡＭ等に記憶してもよい。
【００１１】
補助テンポ出力基準値設定手段は、利用者ＩＤ毎に算出されたテンポ毎の採点値をテンポ順に並べ、隣り合う採点値の差が最も大きい二つのテンポのうち、遅い方のテンポを当該利用者ＩＤに対する補助テンポ出力基準値として設定するための手段である。補助テンポ出力手段は、任意の利用者の指示により変更された演奏テンポが、当該利用者の利用者ＩＤに対して設定された補助テンポ出力基準値よりも遅くなった場合に、補助テンポを出力するための手段である。
【００１２】
また、上述した構成に加えて、利用者の指示に応じて基準値設定モードが選択された場合に、補助テンポ出力基準値設定手段において、当該利用者の補助テンポ出力基準値を設定する基準値設定モード移行手段をさらに備えることが可能である。
【００１３】
このような構成からなるカラオケ演奏のテンポ変更時における補助テンポ出力システムでは、演奏テンポ変更手段の機能により、利用者の指示に基づいて、カラオケ楽曲の演奏テンポを速くしたり、遅くしたりすることができる。また、楽曲データベースには、カラオケ楽曲毎に少なくとも演奏制御データを含む楽曲データが格納されており、演奏制御データには、利用者に対して当該カラオケ楽曲の基準テンポを補完して、当該基準テンポを把握させるための補助テンポが含まれている。
【００１４】
補助テンポを出力するための補助テンポ出力基準値は、利用者毎に設定される。すなわち、利用者ＩＤ取得手段の機能により、システムログインした利用者の利用者ＩＤを取得して、任意の楽曲が演奏されると、入力音声採点手段の機能により、当該演奏に伴い入力される利用者の歌唱音声信号又は楽器演奏音声信号と、所定の採点リファレンスデータとに基づいて、利用者ＩＤ毎にテンポ毎の採点値を算出して記録する。この際、例えば、利用者別採点値データベースが作成される。また、基準値設定モード移行手段を備えることにより、利用者の指示に応じて基準値設定モードが選択された場合に、補助テンポ出力基準値設定手段において、当該利用者の補助テンポ出力基準値を設定してもよい。
【００１５】
補助テンポ出力基準値設定手段では、利用者ＩＤ毎に、カラオケ演奏のテンポを的確に把握することが可能な補助テンポ出力基準値を設定する。すなわち、補助テンポ出力基準値設定手段の機能により、利用者別採点値の記録に基づいて、利用者ＩＤ毎に、テンポ順に採点値を並べる。そして、隣り合う採点値の差が最も大きい二つのテンポのうち、遅い方のテンポを当該利用者ＩＤに対する補助テンポ出力基準値として設定する。
【００１６】
利用者により演奏テンポが変更され、当該利用者の利用者ＩＤに対して設定された補助テンポ出力基準値よりも遅くなると、補助テンポ出力手段の機能により、当該カラオケ楽曲の演奏制御データに含まれる補助テンポを出力する。
【００１７】
補助テンポは、例えば、演奏テンポ音の発生タイミングや、演奏テンポに合わせた光の点滅タイミングを指示するデータからなり、出力された補助テンポに基づいて、スピーカから補助テンポ音を発生したり、表示装置の表示画面に補助テンポ表示を行ったりする。補助テンポの表示は、例えば、テンポ識別記号の点滅等により行われる。
【発明の効果】
【００１８】
本発明のカラオケ演奏のテンポ変更時における補助テンポ出力システムによれば、各利用者がカラオケ演奏のテンポを把握できなくなる補助テンポ出力基準値を、利用者毎に設定し、カラオケ演奏のテンポが各利用者の補助テンポ出力基準値よりも遅くなった場合に補助テンポを出力する。これにより、各利用者は、自らのリズム感等に応じて、当該カラオケ楽曲の演奏テンポを的確に把握することできる。
【図面の簡単な説明】
【００１９】
【図１】本発明のカラオケ演奏のテンポ変更時における補助テンポ出力システムを適用したカラオケ演奏装置の構成を示すブロック図。
【図２】補助テンポの一例を示す説明図。
【図３】補助テンポ出力基準値を設定する手順を示す説明図。
【図４】補助テンポ出力基準値データベースの説明図。
【図５】補助テンポの表示例を示す説明図。
【発明を実施するための形態】
【００２０】
以下、図面を参照して、本発明のカラオケ演奏のテンポ変更時における補助テンポ出力システム（以下、補助テンポ出力システムと略記する）の実施形態について説明する。図１〜図５は本発明の実施形態に係る補助テンポ出力システムを示すもので、図１は補助テンポ出力システムを適用したカラオケ演奏装置の構成を示すブロック図、図２は補助テンポの一例を示す説明図、図３は補助テンポ出力基準値を設定する手順を示す説明図、図４は補助テンポ出力基準値データベースの説明図、図５は補助テンポの表示例を示す説明図ある。
【００２１】
＜補助テンポ出力システムの概要＞
本発明の実施形態に係る補助テンポ出力システムは、カラオケ楽曲の演奏テンポを変更可能であり、演奏テンポを遅くした場合に、各利用者のリズム感等に応じて、当該カラオケ楽曲の演奏テンポを把握できるようにしたシステムであって、カラオケ演奏装置１０に組み込まれて使用される。この補助テンポ出力システムは、図１に示すように、利用者ＩＤ取得手段１２ｆ、演奏テンポ変更手段３２、楽曲データベース２４ａ、入力音声採点手段２７、補助テンポ出力基準値設定手段２８、補助テンポ出力手段３３により構成される。また、本発明の実施形態に係る補助テンポ出力システムは、基準値設定モード移行手段１２ｅを備えることが可能である。なお、以下に説明する実施形態において、各手段は、カラオケ本体１１またはカラオケリモコン装置１２の機能手段として構成されている。
【００２２】
また、以下の説明において、プログラムとは、ＲＡＭ等に記憶され、ＣＰＵ等のハードウェアで実行されることにより、その機能を発揮するソフトウェアだけではなく、同等の機能を発揮することが可能な論理回路も含む概念である。
【００２３】
＜カラオケ演奏装置＞
本発明の実施形態に係る補助テンポ出力システムを適用するカラオケ演奏装置１０は、図１に示すように、カラオケ本体１１、カラオケリモコン装置１２、スピーカ１３、マイクロホン１４、表示装置１５、ミキシングアンプ１６を備えている。
【００２４】
＜カラオケリモコン装置＞
カラオケリモコン装置１２は、図１に示すように、カラオケ本体１１の送受信手段２５との間で有線方式又は無線方式によりデータの送受信を行うようになっている。このカラオケリモコン装置１２は、楽曲検索手段１２ａとして機能するプログラム、楽曲索引データベース１２ｂ、ユーザインタフェース機能を有する入出力表示部１２ｃ、演奏テンポ変更指示手段１２ｄとして機能するプログラム、基準値設定モード移行手段１２ｅとして機能するプログラム、利用者ＩＤ取得手段１２ｆとして機能する電子機器及びプログラム、カラオケ本体１１との間でデータの送受信を行うためのプログラム及び電子機器（図示せず）を備えている。このカラオケリモコン装置１２に付帯するスイッチ類や、入出力表示部１２ｃに表示される各種のアイコン等を操作することにより、選曲操作、演奏テンポの変更指示等が行われる。
【００２５】
＜利用者ＩＤ取得手段＞
利用者ＩＤ取得手段１２ｆは、システムログインした利用者の利用者ＩＤを取得するための電子機器及びプログラムからなる。すなわち、利用者は、利用者ＩＤを記憶したＩＤカード４０やスマートフォン等を持参し、利用者ＩＤ取得手段１２ｆの一部として機能するカードリーダや画像読取装置等により利用者ＩＤを読み取らせると、当該利用者ＩＤが取り込まれる。
【００２６】
＜楽曲検索手段／楽曲索引データベース＞
楽曲検索手段１２ａは、利用者の指示に基づき、楽曲索引データベース１２ｂを参照して楽曲を検索するためのプログラムからなる。楽曲索引データベース１２ｂは、カラオケ演奏装置１０で演奏に供されるカラオケ楽曲について、その属性情報を記述したデータベースであり、例えば、楽曲番号・曲名・歌手名・歌い出し部分の歌詞・流行時期・音楽ジャンル区分・デュエット曲など、種々の属性情報がこれに含まれている。楽曲検索手段１２ａにより楽曲検索を行うと、例えば、カラオケリモコン装置１２の入出力表示部１２ｃに、検索結果が一覧表示される。
【００２７】
＜入出力表示部＞
入出力表示部１２ｃは、例えば、タッチセンサを備えた液晶表示装置を備えており、表示画面に種々のアイコン表示等が行われ、アイコン表示等をタッチペンによりタッチすることにより、楽曲の検索、選曲予約、音程キーの変更、演奏テンポの変更、基準値設定モードの設定等、種々の操作を行うことができる。
【００２８】
＜演奏テンポ変更指示手段＞
演奏テンポ変更指示手段１２ｄは、現在演奏中のカラオケ楽曲の演奏テンポの変更を指示するためのプログラムからなる。この演奏テンポ変更指示手段１２ｄは、利用者が入出力表示部１２ｃに表示される演奏テンポ変更指示ボタン等のアイコンを操作すると、演奏テンポ変更信号をカラオケ本体１１に送信する。そして、カラオケ本体１１では、演奏テンポ変更手段３２の機能により、現在演奏中のカラオケ楽曲の演奏テンポを速くしたり、遅くしたりする。なお、演奏テンポ変更指示手段１２ｄは、カラオケリモコン装置１２ではなくカラオケ本体１１に設けてもよいし、カラオケリモコン装置１２及びカラオケ本体１１の双方に設けてもよい。
【００２９】
＜基準値設定モード移行手段＞
基準値設定モード移行手段１２ｅは、利用者の指示に応じて基準値設定モードが選択された場合に、補助テンポ出力基準値設定手段２８において、当該利用者の補助テンポ出力基準値を設定するためのプログラムからなる。この基準値設定モード移行手段１２ｅは、利用者が入出力表示部１２ｃに表示される基準値設定モード移行指示ボタン等のアイコンを操作すると、基準値設定モード移行信号をカラオケ本体１１に送信する。そして、カラオケ本体１１では、補助テンポ出力基準値設定手段２８の機能により、当該利用者の補助テンポ出力基準値を設定する。なお、基準値設定モード移行手段１２ｅは、カラオケリモコン装置１２ではなくカラオケ本体１１に設けてもよいし、カラオケリモコン装置１２及びカラオケ本体１１の双方に設けてもよい。
【００３０】
＜マイクロホン＞
マイクロホン１４は、歌唱音声や楽器演奏音の入力を行うための装置である。マイクロホン１４から入力された歌唱音声信号（楽器演奏音信号）は、ミキシングアンプ１６により、音楽再生制御手段２９から送出される演奏音声信号とミキシングされると共に増幅され、スピーカ１３へ出力される。また、マイクロホン１４からの音声入力信号（歌唱音声又は楽器演奏音の入力信号）は、Ａ／Ｄコンバータ３０によりデジタル変換して、入力音声採点手段２７における歌唱採点及び演奏採点等に使用される。なお、利用者が楽器を演奏する場合に、当該楽器の演奏音をマイクロホン１４から入力するのではなく、音源入力端子に楽器を接続して、当該音源入力端子から演奏音を入力してもよい。
【００３１】
＜表示装置＞
表示装置１５は、カラオケ楽曲に関連した背景映像や歌詞テロップ等を表示するための装置で、例えば、液晶ディスプレイ等により構成される。本実施形態では、表示装置１５の表示画面に、補助テンポを表示するようになっている。
【００３２】
＜カラオケ本体＞
カラオケ本体１１は、中央制御手段２１、ＲＯＭ２２、ＲＡＭ２３、ＨＤＤ２４、送受信手段２５、予約管理手段２６、入力音声採点手段２７、補助テンポ出力基準値設定手段２８、音楽再生制御手段２９、Ａ／Ｄコンバータ３０、映像再生制御手段３１、演奏テンポ変更手段３２、補助テンポ出力手段３３を備えている。
【００３３】
＜中央制御手段＞
中央制御手段２１は、カラオケ本体１１を総合的に制御するための手段であり、例えばＣＰＵ及びその周辺機器により構成されており、ＣＰＵ等がＲＯＭ２２等に記憶されたプログラムに従って動作することにより、制御機能を発揮することができるようになっている。
【００３４】
＜ＲＯＭ／ＲＡＭ＞
ＲＯＭ２２は、カラオケ本体１１を構成する各機器を制御するためのプログラムデータや数値データを記憶するための機器で、例えば半導体メモリ等で構成される。また、ＲＡＭ２３は、プログラムや各種データを一時的に記憶する一時記憶領域として機能するもので、例えば半導体メモリ等で構成される。なお、物理的な半導体メモリによりＲＡＭ２３を構成するのではなく、ハードディスク記憶装置等を用いて仮想的なＲＡＭ２３を構成してもよい。本実施形態では、ＲＡＭ２３に、予約待ち行列２３ａが記憶されるようになっている。なお、予約待ち行列２３ａは、選曲予約されたカラオケ楽曲について、演奏順に楽曲ＩＤを並べて構成されたデータテーブルであり、選曲者の利用者ＩＤ等の識別データが紐付けられている。
【００３５】
＜ＨＤＤ＞
ＨＤＤ２４は、大容量記憶装置として機能する装置であり、楽曲データベース２４ａ、映像データベース２４ｂ、利用者別採点値データベース２４ｃ、補助テンポ出力基準値データベース２４ｄが格納されている。なお、ＨＤＤ２４に替えて、あるいはＨＤＤ２４と共に、データを書き替え可能なＤＶＤ等の大容量記憶装置を用いてもよい。
【００３６】
＜楽曲データベース／映像データベース＞
楽曲データベース２４ａは、演奏制御データ（ＭＩＤＩ規格データ）及び歌詞描出データが同期されて構成される楽曲データについて、楽曲ＩＤと対応付けてそれぞれ構成したデータベースである。演奏制御データは、各楽曲の演奏を制御するためのデジタルデータであり、歌詞描出データは演奏に同期した歌詞文字の表示タイミングデータ及び色変わりデータを含んでいる。映像データベース２４ｂは、演奏されるカラオケ楽曲に対応した背景映像を、当該カラオケ楽曲の楽曲ＩＤに対応させた映像ファイルとして所定数格納したデータベースである。
【００３７】
また、本実施形態の演奏制御データには、当該カラオケ楽曲の基準テンポを補完して、利用者に対して当該基準テンポを把握させるための補助テンポが含まれている。この補助テンポは、例えば、図２に示すように、一の基準テンポと次の基準テンポとの中間に挿入したテンポである。
【００３８】
＜利用者別採点値データベース＞
利用者別採点値データベース２４ｃは、図３に示すように、入力音声採点手段２７における歌唱音声又は楽器演奏音の採点値を利用者ＩＤに紐付けして格納したデータベースである。この利用者別採点値データベース２４ｃに格納された利用者別の採点値に基づいて、補助テンポ出力基準値設定手段２８において補助テンポ出力基準値の設定が行われる。なお、利用者別採点値データベース２４ｃを作成せずに、利用者別の採点値をＲＡＭ２３等に一時的に記憶してもよい。
【００３９】
＜補助テンポ出力基準値データベース＞
補助テンポ出力基準値データベース２４ｄは、図４に示すように、補助テンポ出力手段３３における補助テンポの出力に使用される基準値を利用者ＩＤに紐付けして格納したデータベースである。そして、補助テンポ出力手段３３の機能では、補助テンポ出力基準値データベース２４ｄを参照して、利用者により変更された演奏テンポが、当該利用者の利用者ＩＤに紐付けられた補助テンポ出力基準値よりも遅くなった場合に、補助テンポを出力する。
【００４０】
＜送受信手段＞
送受信手段２５は、カラオケ本体１１とカラオケリモコン装置１２との間で、データの送受信を行うための電子回路及びプログラムからなる。本実施形態では、赤外線通信により、カラオケ本体１１とカラオケリモコン装置１２との間でデータの送受信が行われる。
【００４１】
＜予約管理手段＞
予約管理手段２６は、利用者により楽曲検索手段１２ａの機能を用いて選曲された楽曲ＩＤを演奏順に並べて予約待ち行列２３ａを生成し、この予約待ち行列２３ａをＲＡＭ２３に格納して管理するためのプログラムからなる。
【００４２】
＜入力音声採点手段＞
入力音声採点手段２７は、任意の楽曲が演奏されると、当該演奏に伴い入力される利用者の歌唱音声信号又は楽器演奏音声信号と、所定の採点リファレンスデータとに基づいて、利用者ＩＤ毎にテンポ毎の採点値を算出して記録するためのプログラムからなる。この入力音声採点手段２７は、従来からカラオケ演奏装置１０が備えている歌唱採点機能を用いることができる。
【００４３】
すなわち、入力音声採点手段２７は、利用者が任意のカラオケ楽曲を歌唱した際に、マイクロホン１４より入力された当該利用者の音声信号から抽出した歌唱評価データと、当該カラオケ楽曲の歌唱採点リファレンスデータとに基づいて、歌唱の巧拙を採点する。また、入力音声採点手段２７は、利用者が任意のカラオケ楽曲を演奏した際に、マイクロホン１４より入力され、あるいは音源入力端子を介して入力された当該利用者による演奏音声信号から抽出した演奏評価データと、当該カラオケ楽曲の演奏採点リファレンスデータとに基づいて、楽器演奏の巧拙を採点する。なお、本実施形態では、入力音声採点手段２７の機能により、利用者別採点値データベース２４ｃが作成される。
【００４４】
＜音楽再生制御手段＞
音楽再生制御手段２９は、楽曲ＩＤに基づいて楽曲データベース２４ａから抽出された演奏制御データに基づいて、音源データをデジタル再生すると共にアナログ変換してミキシングアンプ１６に出力するための電子回路である。上述したように、ミキシングアンプ１６は、マイクロホン１４から入力された歌唱者の歌唱音声信号と、音楽再生制御手段２９から送出される演奏音声信号とをミキシングすると共に、アンプ機能により増幅してスピーカ１３より出力させるための装置である。
【００４５】
＜映像再生制御手段＞
映像再生制御手段３１は、カラオケ楽曲の演奏中に、映像データベース２４ｂから抽出した背景映像データと、楽曲データベース２４ａに含まれる歌詞描出データ（歌詞テロップデータ）とを、当該カラオケ楽曲の演奏データに同期させて表示装置１５に出力するためのプログラムからなる。
【００４６】
＜補助テンポ出力基準値設定手段＞
補助テンポ出力基準値設定手段２８は、利用者ＩＤ毎に算出されたテンポ毎の採点値をテンポ順に並べ、隣り合う採点値の差が最も大きい二つのテンポのうち、遅い方のテンポを当該利用者ＩＤに対する補助テンポ出力基準値として設定するためのプログラムからなる。設定された補助テンポ出力基準値は、利用者ＩＤに紐付けされて、補助テンポ出力基準値データベース２４ｄが作成される（図４参照）。
【００４７】
具体的には、図３（ａ）及び図３（ｂ）に示すように、利用者ＩＤ毎に算出されたテンポ毎の採点値に基づいて、当該利用者ＩＤに対する補助テンポ出力基準値を設定する。図３（ａ）及び（ｂ）に示す例では、テンポが速い順に、「８０」、「６５」、「５５」、「４０」と並んでおり、採点値はそれぞれ「９０」、「７０」、「６０」、「５０」となっている。したがって、第１番目と第２番目のテンポにおける採点値差は「２０点」、第２番目と第３番目のテンポにおける採点値差は「１０点」、第３番目と第４番目のテンポにおける採点値差は「１０点」となる。ここで、図３（ａ）に示すように、採点値差が最も大きいのは、第１番目と第２番目のテンポ間の「２０点」であるため、両テンポのうちで遅い方のテンポである「６５」を当該利用者ＩＤに対する補助テンポ出力基準値として設定する。
【００４８】
なお、図３（ａ）及び図３（ｂ）に示す例では、隣り合うテンポの差が一律ではない。すなわち、第１番目と第２番目のテンポ差は「１５」、第２番目と第３番目のテンポ差は「１０」、第３番目と第４番目のテンポ差は「１５」である。そこで、図３（ｂ）に示すように、採点値差に対するテンポ差の比に基づいて、補助テンポ出力基準値を設定してもよい。
【００４９】
すなわち、図３（ｂ）に示すように、第１番目と第２番目のテンポにおける採点値差とテンポ差の比は「２０／１５（約１．３３）」、第２番目と第３番目の採点値差とテンポ差の比は「１０／１０（１．０）」、第３番目と第４番目の採点値差とテンポ差の比は「１０／１５（約０．６７）」となる。ここで、採点値差とテンポ差の比が最も大きいのは、第１番目と第２番目のテンポ間の「２０／１５（約１．３３）」であるため、両テンポの中で遅い方のテンポである「６５」を当該利用者ＩＤに対する補助テンポ出力基準値として設定する。
【００５０】
＜演奏テンポ変更手段＞
演奏テンポ変更手段３２は、任意のカラオケ楽曲を演奏する際に、利用者の指示に基づいてその演奏テンポを変更するためのプログラムからなる。すなわち、演奏テンポ変更手段３２は、演奏テンポ変更指示手段１２ｄからの演奏テンポ変更信号を受信すると、当該信号に基づいて、演奏テンポを遅らせたり、速めたりする。
【００５１】
＜補助テンポ出力手段＞
補助テンポ出力手段３３は、任意の利用者の指示により変更された演奏テンポが、当該利用者の利用者ＩＤに対して設定された補助テンポ出力基準値よりも遅くなった場合に、補助テンポを出力するためのプログラムからなる。すなわち、補助テンポ出力手段３３は、補助テンポ出力基準値データベース２４ｄを参照して、現在演奏されているカラオケ楽曲（予約楽曲）を予約した利用者の利用者ＩＤに基づいて、当該利用者ＩＤに紐付けられた補助テンポ出力基準値と、現在の演奏テンポとを比較して、現在の演奏テンポが、当該利用者の補助テンポ出力基準値よりも遅くなった場合に、補助テンポを出力する。なお、現在演奏されているカラオケ楽曲（予約楽曲）を予約した利用者の利用者ＩＤは、予約待ち行列２３ａを参照することにより把握することができる。
【００５２】
補助テンポ出力手段３３が出力した補助テンポは、例えば、音楽再生制御手段２９の機能により、演奏音声信号と共にミキシングアンプ１６に入力され、スピーカ１３から補助テンポ音として発生する。また、補助テンポ出力手段３３が出力した補助テンポは、例えば、映像再生制御手段３１の機能により、カラオケ楽曲の演奏データと共に表示装置１５に入力され、表示装置１５の表示画面に補助テンポ表示が行われる。すなわち、補助テンポが出力されると、例えば、図５に示すように、表示装置１５の表示画面において、利用者が認識できるように、テンポ記号を点滅させて、演奏データに含まれるテンポと、生成した補助テンポとを表示する。なお、補助テンポ音の発生及び補助テンポ表示の双方を行ってもよいし、いずれか一方のみを行ってもよい。
【００５３】
＜他の実施形態＞
本発明の補助テンポ出力システム及びその周辺装置を構成する機器や手段は上述したものに限定されず、その利用目的に応じて、必要な機器や手段のみの構成としたり、適宜他の機器や手段を付加したりすることができる。また、各手段をそれぞれ別個のものとして構成するのではなく、複数の機能を統合した手段として構成してもよい。さらに、カラオケ演奏装置１０を単体で動作させるのではなく、ホスト装置にネットワーク接続したカラオケ演奏装置１０として動作させてもよい。この場合には、利用者毎の補助テンポ出力基準値をホスト装置で管理することができる。
【符号の説明】
【００５４】
１０  カラオケ演奏装置
１１  カラオケ本体
１２  カラオケリモコン装置
１２ａ  楽曲検索手段
１２ｂ  楽曲索引データベース
１２ｃ  入出力表示部
１２ｄ  演奏テンポ変更指示手段
１２ｅ  基準値設定モード移行手段
１２ｆ  利用者ＩＤ取得手段
１３  スピーカ
１４  マイクロホン
１５  表示装置
１６  ミキシングアンプ
２１  中央制御手段
２２  ＲＯＭ
２３  ＲＡＭ
２３ａ  予約待ち行列
２４  ＨＤＤ
２４ａ  楽曲データベース
２４ｂ  映像データベース
２４ｃ  利用者別採点値データベース
２４ｄ  補助テンポ出力基準値データベース
２５  送受信手段
２６  予約管理手段
２７  入力音声採点手段
２８  補助テンポ出力基準値設定手段
２９  音楽再生制御手段
３０  Ａ／Ｄコンバータ
３１  映像再生制御手段
３２  演奏テンポ変更手段
３３  補助テンポ出力手段
４０  ＩＤカード
【図１】
2014010372.tif 000003
【図２】
2014010372.tif 000004
【図３】
2014010372.tif 000005
【図４】
2014010372.tif 000006
【図５】
2014010372.tif 000007